(57)【要約】【課題】開閉ドアの表面と壁面との隙間寸法が閾値を超えたことを監視センタに通知することを可能とするエレベータドア装置を提供することである。【解決手段】ドア１４ａの表面と、この表面に対向する三方枠１２ａの壁面との間の隙間ｄ１の寸法が所定の閾値ｄｔｈを超えたときに異常信号を出力するマイクロスイッチ１６と、マイクロスイッチ１６から異常信号が出力されたときに監視センタに異常信号を送信する送信部３０と、を備える。【選択図】図１
2015030577.tif 000002
【特許請求の範囲】
【請求項１】
開閉ドアの表面と、前記表面に対向する壁面との間の隙間寸法が所定の閾値を超えたときに異常信号を出力する異常信号出力部と、
前記異常信号出力部から前記異常信号が出力されたときに監視センタに前記異常信号を送信する送信部と、
を備えることを特徴とするエレベータドア装置。
【請求項２】
請求項１に記載のエレベータドア装置において、
前記異常信号出力部は、前記表面及び前記壁面のいずれか一方に取り付けられ、前記隙間寸法が前記閾値を超えたときに前記異常信号を出力するスイッチ回路であることを特徴とするエレベータドア装置。
【請求項３】
請求項１または請求項２に記載のエレベータドア装置において、
前記開閉ドアは、連動して同一方向に移動する２枚のドアを含み、
前記異常信号出力部は、前記２枚のドアに対してそれぞれ設けられていることを特徴とするエレベータドア装置。
【請求項４】
請求項１から請求項３のいずれか１項に記載のエレベータドア装置において、
前記異常信号出力部は、前記開閉ドアの上部、中央部及び下部に設けられており、
前記送信部は、前記各異常信号出力部の少なくとも１つから前記異常信号が出力されたときに前記監視センタに前記異常信号を送信することを特徴とするエレベータドア装置。
【発明の詳細な説明】
【技術分野】
【０００１】
本発明は、エレベータドア装置に係り、特に、開閉ドアの表面とこれに対向する壁面との隙間寸法の異常を検出するエレベータドア装置に関する。
【背景技術】
【０００２】
現在、商業施設等の様々な場所にエレベータが設置されている。エレベータは、開閉ドアの表面と、この表面に対向する壁面との間の隙間寸法が予め定められた値となるように設定されている。これにより、開閉ドアの戸開時に、開閉ドアの近傍にいる乗客の持ち物、例えば、ハンカチがその隙間に入り込んで開閉ドアと壁面との間に挟まることが無いようにしている。
【０００３】
本発明に関連する技術として、例えば、特許文献１には、開閉ドアの表面と、その表面に対向する壁面との間に光センサを設置し、この光センサが異物を検出したときに警報を発する構成が開示されている。
【先行技術文献】
【特許文献】
【０００４】
【特許文献１】特開２００６−１４３４４３号公報
【発明の概要】
【発明が解決しようとする課題】
【０００５】
エレベータを長期間使用すると、敷居溝を摺動する開閉ドアのドアシューの摩耗等により、開閉ドアが傾き、開閉ドアの表面と壁面との隙間が大きくなることがある。この場合、開閉ドアの戸開時に乗客の持ち物がその隙間に入り込んで開閉ドアと壁面との間に挟まると、そこから持ち物を取り出すのに時間を要し、エレベータの運行効率の低下に繋がる虞がある。このため、開閉ドアの表面と壁面との隙間寸法が閾値を超えたことを監視センタに通知して、作業員が必要に応じて開閉ドアのドアシューの交換作業等の対応を行うことが望まれる。
【０００６】
本発明は、開閉ドアの表面と壁面との隙間寸法が閾値を超えたことを監視センタに通知することを可能とするエレベータドア装置を提供することである。
【課題を解決するための手段】
【０００７】
本発明に係るエレベータドア装置は、開閉ドアの表面と、前記表面に対向する壁面との間の隙間寸法が所定の閾値を超えたときに異常信号を出力する異常信号出力部と、前記異常信号出力部から前記異常信号が出力されたときに監視センタに前記異常信号を送信する送信部と、を備えることを特徴とする。
【０００８】
また、本発明に係るエレベータドア装置において、前記異常信号出力部は、前記表面及び前記壁面のいずれか一方に取り付けられ、前記隙間寸法が前記閾値を超えたときに前記異常信号を出力するスイッチ回路であることが好ましい。
【０００９】
また、本発明に係るエレベータドア装置において、前記開閉ドアは、連動して同一方向に移動する２枚のドアを含み、前記異常信号出力部は、前記２枚のドアに対してそれぞれ設けられていることが好ましい。
【００１０】
また、本発明に係るエレベータドア装置において、前記異常信号出力部は、前記開閉ドアの上部、中央部及び下部に設けられており、前記送信部は、前記各異常信号出力部の少なくとも１つから前記異常信号が出力されたときに前記監視センタに前記異常信号を送信することが好ましい。
【発明の効果】
【００１１】
本発明によれば、開閉ドアの表面と、これに対向する壁面との間の隙間寸法が所定の閾値を超えたときに異常信号が出力され、この異常信号が監視センタに送信される。これにより、作業員は、必要に応じて開閉ドアのドアシューの交換作業等の対応を行うことができる。
【図面の簡単な説明】
【００１２】
【図１】本発明に係る実施の形態のエレベータドア装置を示す図である。
【図２】図１のＡ−Ａ線断面図である。
【発明を実施するための形態】
【００１３】
以下に図面を用いて本発明に係る実施の形態につき、詳細に説明する。また、以下では、全ての図面において対応する要素には同一の符号を付し、重複する説明を省略する。
【００１４】
図１は、エレベータ８の乗場に設置されるエレベータドア装置１０を示す図である。図２は、図１のＡ−Ａ線断面図である。エレベータ８の乗場には、２つの縦枠１２ａ，１２ｂと、１つの横枠１２ｃとからなる三方枠１２が設けられている。
【００１５】
エレベータ８の乗場には、開閉ドア１４が設置されている。開閉ドア１４は、連動して同一方向に移動する２枚のドア１４ａ，１４ｂから成る。開閉ドア１４は、戸開時には縦枠１２ａ側に移動し、戸閉時には縦枠１２ｂ側に移動する片開き式の乗場ドアである。
【００１６】
開閉ドア１４の全閉時において、図１に示されるように、ドア１４ａと三方枠１２ａとは一部の領域で重なっている。また、図２に示されるように、ドア１４ａの表面と三方枠１２ａの壁面との間には、隙間ｄ１が形成される。ドア１４ａは、隙間ｄ１の寸法が所定の閾値ｄｔｈを超えないように設定されている。
【００１７】
開閉ドア１４の全閉時において、図１に示されるように、ドア１４ａとドア１４ｂとは一部の領域で重なっている。また、図２に示されるように、ドア１４ｂの表面と、ドア１４ａの裏面が形成するドア１４ｂに対する壁面との間には、隙間ｄ２が形成される。ドア１４ａ及びドア１４ｂは、隙間ｄ２の寸法が所定の閾値ｄｔｈを超えないように設定されている。
【００１８】
マイクロスイッチ１６は、図１に示されるように、ドア１４ａと三方枠１２ａとの間において、三方枠１２ａの壁面の上部、中央部及び下部に取り付けられている。また、マイクロスイッチ１６は、ドア１４ａとドア１４ｂとの間において、ドア１４ａの裏面の上部、中央部及び下部に取り付けられている。マイクロスイッチ１６は、隙間ｄ１，ｄ２の寸法が所定の閾値ｄｔｈを超えたときに異常信号を出力する装置である。マイクロスイッチ１６の出力信号は、信号線２９を介して送信部３０に伝送される。なお、以下では、ドア１４ａと三方枠１２ａの間に配置されるマイクロスイッチ１６について説明するが、ドア１４ａとドア１４ｂとの間に配置されるマイクロスイッチ１６も同様の構造を有する。
【００１９】
マイクロスイッチ１６の本体部１８は、三方枠１２ａの壁面に取り付けられる。隙間ｄ１の寸法が所定の閾値ｄｔｈを超えていない場合は、マイクロスイッチ１６のレバー部材２０は、ドア１４ａの表面に押圧されている。
【００２０】
レバー部材２０がドア１４ａに押圧されると、本体部１８内に設けられる可動接点部が、ＯＮ側接点部に接触する。このとき、マイクロスイッチ１６からは異常信号が出力されない。
【００２１】
一方、レバー部材２０がドア１４ａに押圧されずに開放されると、図示しない付勢手段の付勢力によって可動接点部がＯＦＦ側接点部に接触するようになる。これにより、マイクロスイッチ１６は異常信号を出力する。
【００２２】
上記では、本体部１８が三方枠１２ａの壁面に取り付けられるものとして説明したが、ドア１４ａの表面に取り付けられるものとしてもよい。この場合、レバー部材２０は三方枠１２ａの壁面によって押圧される。
【００２３】
送信部３０は、マイクロスイッチ１６から異常信号が出力されたときに、その異常信号を図示しない監視センタに送信する通信装置である。送信部３０は、乗場側から視認できない領域、例えば、横枠１２ｃ上の壁の裏側に取り付けることができる。
【００２４】
続いて、上記構成のエレベータドア装置１０の作用について、図１，２を用いて説明する。マイクロスイッチ１６は、ドア１４ａの表面と三方枠１２ａの壁面との間に形成された隙間ｄ１の寸法が閾値ｄｔｈを超えていない場合は、レバー部材２０はドア１４ａに押圧された状態である。このとき、マイクロスイッチ１６は異常信号を出力しない。
【００２５】
仮に、敷居溝を摺動するドアシュー１５の摩耗等により、開閉ドア１４が傾き、隙間ｄ１の寸法が閾値ｄｔｈを超えた場合は、レバー部材２０はドア１４ａに押圧されずに開放される。これにより、マイクロスイッチ１６は異常信号を出力する。
【００２６】
マイクロスイッチ１６から異常信号が出力されると、送信部３０は、異常信号を監視センタに送信する。これにより、作業員が必要に応じて開閉ドア１４のドアシュー１５の交換作業等の対応を行うことができる。
【００２７】
また、マイクロスイッチ１６は、ドア１４ａの表面と三方枠１２ａの壁面との間において、上部、中央部及び下部に１つずつ設けられている。そして、送信部３０は、この３つのマイクロスイッチ１６の少なくとも１つから異常信号が出力されたときに、その異常信号を監視センタに出力する。したがって、ドア１４ａの上部、中央部及び下部のいずれか一部のみの隙間ｄ１が閾値ｄｔｈを超えた場合であっても隙間寸法の異常を検出することができる。
【００２８】
なお、上記では、ドア１４ａと三方枠１２ａとの間にマイクロスイッチ１６を取り付けた場合の作用について説明したが、ドア１４ａとドア１４ｂとの間にマイクロスイッチ１６を取り付けた場合にも同様の利点がある。
【００２９】
また、上記では、ドア１４ａと三方枠１２ａとの間の隙間ｄ１、及びドア１４ａとドア１４ｂとの間の隙間ｄ２の寸法が閾値ｄｔｈを超えたことを、マイクロスイッチ１６を用いて検出するものとして説明したが、もちろん、その他の検出方法を用いてもよい。例えば、光を照射してから物体で反射した光を受光するまでの時間を測定して距離に換算するレーザー距離センサを用いて検出するものとしてもよい。
【００３０】
上記では、開閉ドア１４は、乗場に設置される乗場ドアであるとして説明したが、図示しない乗りかごに設置される乗りかごドアであってもよい。このとき、乗りかごドアの戸開時において、乗りかごドアと乗りかごの立柱との間の隙間、及び乗りかごドア同士の間の隙間に、乗りかご内の乗客の持ち物が入り込んで挟まれる可能性がある。このため、上記エレベータ装置１０と同様に、マイクロスイッチ１６を乗りかごドアと乗りかごの立柱との間、及び乗りかごドア同士の間に取り付けた場合にも同様の作用効果を奏する。
【符号の説明】
【００３１】
８  エレベータ、１０  エレベータドア装置、１２  三方枠、１２ａ，１２ｂ  縦枠、１２ｃ  横枠、１４  開閉ドア、１４ａ，１４ｂ  ドア、１６  マイクロスイッチ、１８  本体部、２０  レバー部材、２９  信号線、３０  送信部、３１  ＯＦＦ側接点部。
【図１】
2015030577.tif 000003
【図２】
2015030577.tif 000004